(57)【要約】【課題】映像等を表示するＴＶモード、ＡＶモードの作動中において、ナビゲーションモードに対応する操作が容易に実行可能な電子機器を提供する。【解決手段】自車両のナビゲーション情報を取得するナビゲーションユニットと、映像源から取得した映像情報により映像を再生する映像再生ユニットと、前記ナビゲーションユニットにより取得されたナビゲーション情報に基づく画像又は前記映像再生ユニットにより再生された映像を表示すると共に、所定領域への操作体のタッチ操作による入力を受付ける表示操作部と、を有する電子機器であって、前記映像再生ユニットにより再生された映像を前記表示操作部に表示する時に、前記ナビゲーション情報に基づいて動作するナビゲーションモードに対応した操作を行う操作ボタンを前記表示操作部に表示させる表示制御手段を有する構成となる。【選択図】図２
2016109434.tif 000002
【特許請求の範囲】
【請求項１】
自車両のナビゲーション情報を取得するナビゲーションユニットと、
映像源から取得した映像情報により映像を再生する映像再生ユニットと、
前記ナビゲーションユニットにより取得されたナビゲーション情報に基づく画像又は前記映像再生ユニットにより再生された映像を表示すると共に所定領域への操作体のタッチ操作による入力を受付ける表示操作部と、を有する電子機器であって、
前記映像再生ユニットにより再生された映像を前記表示操作部に表示する時に、前記ナビゲーション情報に基づいて動作するナビゲーションモードに対応した操作を行う操作ボタンを前記表示操作部に表示させる表示制御手段を有する電子機器。
【請求項２】
前記映像再生ユニットにより再生された映像を前記表示操作部に表示する時に、前記ナビゲーションモードがバックグラウンドで動作する請求項１に記載の電子機器。
【請求項３】
前記映像再生ユニットは、記憶媒体であるＣＤ若しくはＤＶＤに記憶された映像情報により映像を再生するＡＶユニット、又はテレビ放送を受信して映像を再生するテレビ放送受信機である請求項１又は２に記載の電子機器。
【請求項４】
前記操作ボタンは、前記ナビゲーション機能のもとで実行される所定のプログラムを起動するためのアイコンである請求項１乃至３のいずれかに記載の電子機器。
【請求項５】
前記操作体の前記表示操作部への接近を検出する近接センサを更に有し、該近接センサが前記操作体の前記表示操作部の所定範囲内への接近を検出したときに、前記表示制御手段は、前記操作ボタンを前記表示操作部に表示させる請求項１乃至４のいずれかに記載の電子機器。
【請求項６】
前記表示制御手段は、操作頻度の高い前記操作ボタンを拡大して表示する請求項１乃至５のいずれかに記載の電子機器。
【請求項７】
前記表示制御手段は、前記操作体のタッチ操作により前記ナビゲーションモードに対応した操作ボタンについて操作が実行された後は、所定時間が経過するまで前記表示操作部に前記操作ボタンを非表示とする請求項１乃至５のいずれかに記載の電子機器。
【発明の詳細な説明】
【技術分野】
【０００１】
本発明は、ナビゲーション情報に基づく画像又は映像再生ユニットにより再生された映像を表示すると共に、操作体のタッチ操作による入力を受付ける表示操作部を有する電子機器に関する。
【背景技術】
【０００２】
自車両のナビゲーションを行うナビゲーションモード、映像表示を行うＡＶモード等の各種機能モードを備えた車載機器である電子機器においては、例えば走行中は図４Ａに示すように表示画面１００に表示された地図上に自車両位置１０１や目的施設１０２へのルート１０３等を表示するナビゲーションモードを作動させ、停車中は図４Ｂに示すようにＴＶ放送を視聴するＴＶ受信モード、或いはＤＶＤ等による映像等を視聴するＡＶモードを作動させることができる。
【０００３】
ところで、車両を目的地等に向けて自動的に運転する自動運転技術が開発されているが、このような自動運転技術によれば、車両が自動的にルートを走行するため、走行中においてはナビゲーションモードをバックグラウンドで作動させつつ、ＴＶ放送又はＤＶＤによる映像を画面表示させて視聴することが可能と考えられる。自動運転に設定して映像画面を視聴しているときに、走行中に立ち寄る施設（休憩施設、給油施設等）を検索する必要が生じたときには、操作によりナビゲーションモードに切り替え、画面上に操作メニュー等を表示させて検索し、経由地の変更等をすることができる（例えば、特許文献１参照）。
【先行技術文献】
【特許文献】
【０００４】
【特許文献１】特開平７−２７１８２４号公報
【発明の概要】
【発明が解決しようとする課題】
【０００５】
しかしながら、上記のように映像等の視聴画面からナビゲーション画面に切り替えて所望の施設等の検索、経由地変更の設定等を行うには操作が煩雑で手間がかかることから利便性を欠くものとなっている。
【０００６】
本発明の目的は、このような事情に鑑みてなされたもので、映像等を表示するＴＶモード、ＡＶモードの作動中において、ナビゲーションモードに対応する操作が容易に実行可能な電子機器を提供するものである。
【課題を解決するための手段】
【０００７】
上記課題を解決するために本発明に係る電子機器は、自車両のナビゲーション情報を取得するナビゲーションユニットと、映像源から取得した映像情報により映像を再生する映像再生ユニットと、前記ナビゲーションユニットにより取得されたナビゲーション情報に基づく画像又は前記映像再生ユニットにより再生された映像を表示すると共に所定領域への操作体のタッチ操作による入力を受付ける表示操作部と、を有する電子機器であって、前記映像再生ユニットにより再生された映像を前記表示操作部に表示する時に、前記ナビゲーション情報に基づいて動作するナビゲーションモードに対応した操作を行う操作ボタンを前記表示操作部に表示させる表示制御手段を有する構成である。
【０００８】
このような構成によれば、映像再生ユニットにより再生された映像を表示操作部に表示する時に、表示制御手段が、ナビゲーション情報に基づいて動作するナビゲーション機能に対応した操作を行う操作ボタンを表示操作部に表示させるので、ナビゲーションモードに切り替えることなく、タッチ操作により操作ボタンを操作することで容易にナビゲーションモードに対応した操作を行うことができる。
【０００９】
本発明に係る電子機器において、前記映像再生ユニットにより再生された映像を前記表示操作部に表示する時に、前記ナビゲーションモードがバックグラウンドで動作する構成とすることができる。
【００１０】
このような構成によれば、映像再生ユニットにより再生された映像を表示操作部に表示する時に、ナビゲーションモードがバックグラウンドで動作しているので、操作ボタンの操作により迅速にナビゲーションモードに対応した操作を行うことができる。
【００１１】
本発明に係る電子機器において、前記映像再生ユニットは、記憶媒体であるＣＤ若しくはＤＶＤに記憶された映像情報により映像を再生するＡＶユニット、又はテレビ放送を受信して映像を再生するテレビ放送受信機である構成とすることができる。
【００１２】
このような構成によれば、ＡＶユニットによりＣＤ、ＤＶＤから映像を再生して視聴しているとき、又はテレビ放送受信機による映像の再生により視聴してときに、操作ボタンの操作により迅速にナビゲーションモードに対応した操作を行うことができる。
【００１３】
本発明に係る電子機器において、前記操作ボタンは、前記ナビゲーション機能のもとで実行される所定のプログラムを起動するためのアイコンである構成とすることができる。
【００１４】
このような構成によれば、映像再生ユニットにより再生された映像を表示操作部に表示する時にも、ナビゲーション情報に基づいて動作するナビゲーションモードに対応した操作を行う操作ボタンが所定のプログラムを起動するアイコンであることから、ナビゲーションモードでの検索等を容易に行うことができる。例えば、ナビゲーションモードへの切り替えを要することなく、走行ルート周辺の立ち寄り施設等の検索、経由地変更等が可能となる。
【００１５】
本発明に係る電子機器において、前記操作体の前記表示操作部への接近を検出する近接センサを更に有し、該近接センサが前記操作体の前記表示操作部の所定範囲内への接近を検出したときに、前記表示制御手段は、前記操作ボタンを前記表示操作部に表示させる構成とすることができる。
【００１６】
このような構成によれば、指又はタッチペン等の操作体の表示操作部への接近を近接センサが検出したときに、操作ボタンが表示されるので、常時操作ボタンが表示される場合と比べると、映像の視聴に操作ボタンの表示が支障となるのを抑えることができる。
【００１７】
本発明に係る電子機器において、前記表示制御手段は、操作頻度の高い前記操作ボタンを拡大して表示する構成とすることができる。
【００１８】
このような構成によれば、操作頻度の高い操作ボタンへのタッチ操作を確実にすることができ、さらに誤操作の防止にも寄与するので利便性が向上する。例えば、走行中に頻繁に立ち寄る必要がある、休憩所、トイレ等の施設検索のアイコン（操作ボタン）を他の操作ボタンより拡大して表示することで利便性が向上する。例えば、過去の所定時間内の操作回数等に応じて操作頻度の高さを決めることができる。また、使用頻度にかかわらず乗員等の使用者の設定によっても所定の操作ボタン（アイコン等）を他の操作ボタンより拡大表示することができる。
【００１９】
本発明に係る電子機器において、前記表示制御手段は、前記操作体のタッチ操作により前記ナビゲーションモードに対応した操作ボタンについて操作が実行された後は、所定時間が経過するまで前記表示操作部に前記操作ボタンを非表示とする構成とすることができる。
【００２０】
このような構成によれば、タッチ操作された操作ボタンについて、所定時間が経過するまで次のタッチ操作がなされないと予想される場合には、所定時間が経過するまで非表示とすることで、他の操作ボタンを表示することができることから、利便性の向上を図ることができる。例えば、休憩所、トイレ等の検索アイコンを使用して立ち寄った後は、当該検索アイコンが所定時間再度検索されないと考えられるので、一時の間非表示としてその間他のアイコンを表示することで利便性の向上を図ることができる。
【発明の効果】
【００２１】
本発明に係る電子機器によれば、映像再生ユニットにより再生された映像を表示操作部に表示する時に、ナビゲーション情報に基づいて動作するナビゲーション機能に対応した操作を行う操作ボタンを表示操作部に表示させるので、ナビゲーションモードへの切り替え操作を行うことなく、操作ボタンをタッチ操作することで容易にナビゲーションモードに対応した操作を行うことができる。
【図面の簡単な説明】
【００２２】
【図１】図１は本発明の実施の形態に係る電子機器である車載機器を構成するブロック図である。
【図２】図２は本発明の実施の形態に係る電子機器である車載機器の動作手順を示すフローチャートである。
【図３】図３は本発明の実施の形態に係る電子機器である車載機器の表示部に表示される映像画面の概略図である。
【図４Ａ】図４Ａは従来の車載機器の表示部に表示されるナビゲーションモードに基づく画像画面の概略図である。
【図４Ｂ】図４Ｂは従来の車載機器の表示部に表示されるＴＶ放送の映像画面の概略図である。
【発明を実施するための形態】
【００２３】
本発明の実施の形態について図面を用いて説明する。
【００２４】
本発明の実施の形態に係る電子機器である車載機器は、図１に示すように構成される。
【００２５】
図１に示すように、車載機器１１は、コンピュータユニット（例えば、ＣＰＵ又はＭＰＵ等）によって構成される処理ユニット１２を有する。処理ユニット１２には、各種音源及び映像源（例えば、ＣＤ及びＤＶＤ等）に記憶される音声及び映像の再生処理が可能なＡＶユニット１５、デジタルテレビ放送等を受信して音声及び映像の再生処理が可能なＴＶ放送受信機１６、及び自車両のナビゲーションが可能なナビゲーションユニット１７が接続されている。また、処理ユニット１２にはスピーカ１８が出力回路１９を介して接続されている。これによって、ＡＶユニット１５、ＴＶ放送受信機１６及びナビゲーションユニット１７による処理に係る音声信号を出力回路１９によりスピーカ１８から音声出力することが可能となっている。加えて、処理ユニット１２には、ＡＶユニット１５及びナビゲーションユニット１７において利用する楽曲情報及び地図情報等の各種情報やＴＶ放送受信機１６で受信した映像情報及び音声情報を記憶可能な記憶部２０（例えば、ハードディスクメモリ、フラッシュメモリ等）と、ＬＣＤ等によってよって構成される各種処理に伴う映像等を表示する表示部２１と、表示部２１上に配置され、操作体（指、タッチペン等）のタッチ操作により必要な指示が入力可能なタッチパネル２２と、押し釦等の物理キーの操作による指示入力可能な操作部２３と、が接続されている。上記したＡＶユニット１５とＴＶ放送受信機１６とで映像再生ユニットを構成する。また、表示部２１とタッチパネル２２とで表示操作部を構成する。
【００２６】
上述した電子機器としての車載機器１１は、図２に示すような動作の手順にて処理がなされる。本実施形態では、車両が自動運転の場合における車載機器１１の動作手順を説明するが、自動運転の場合にのみ限定して使用されるものではない。
【００２７】
図２において、車両（不図示）に搭乗した乗員の選択操作より、目的地、経由地及び走行ルート等を指定した自動運転機能に設定する（Ｓ１１）。これにより、乗員は目的地までハンドル操作等の車両操作が不要となる。なお、自動運転機能設定下では、処理ユニット１２は車載機器１１を目的地等に向けての自車両の誘導、表示が可能なナビゲーションモードに設定する。
【００２８】
次に処理ユニット１２は、車載機器１１をナビゲーションモード以外の動作モードをさらに設定するか否かの選択を求める（Ｓ１２）。車載機器１１をナビゲーションモード以外の他の動作モードをさらに設定すると、例えばＴＶ放送視聴モードに設定すると乗員の好むテレビ番組の放送を視聴でき、ＡＶ視聴モードに設定するとＤＶＤ等に記憶された映像等を視聴できる。自動運転の設定により走行中もＴＶ放送やＤＶＤに記憶された映像等の視聴が可能となるので、自動運転に設定した時は、車載機器１１のナビゲーションモード以外の他の動作モードを設定することができる。
【００２９】
ナビゲーションモードのみの設定を選択したときは（Ｓ１２でナビゲーションモード選択）、処理ユニット１２は上記したように表示部２１の画面には地図情報と共に自車両の現在位置の表示等を行う（Ｓ１７）。表示部２１の画面上にはナビゲーションモードで動作する施設検索等の表示ボタン、アイコン等が表示され、タッチ操作により周囲にある施設等へ自動運転による誘導操作がなされ、又は操作メニューが表示され、所望の施設を検索することが可能となっている。
【００３０】
他の動作モード（ＴＶ放送視聴モード、ＡＶ視聴モード等）を選択すると、処理ユニット１２は、選択された他の動作モードを設定し、表示部２１の画面にはＴＶ放送、ＤＶＤによる映像等が表示され、さらに画面上にはナビゲーションモードに対応した操作を行う操作ボタンとしてのアイコンを併せて表示する（Ｓ１３）。このとき、ナビゲーションモードはバックグラウンドで動作することになる。
【００３１】
自動運転の設定と共に、ナビゲーションモード以外の他の動作モード（ＴＶ放送視聴モード、ＡＶ視聴モード等）も併せて設定されたときの表示部２１の画面を図３に示す。図３では、他の動作モードとしてＴＶ放送視聴モードが選択され、「ニュース番組」を視聴しているときの画面を表示する。表示部２１の画面には、ＴＶ放送による「ニュース番組」を通常のテレビ受像機で視聴するものと同様に表示されている。そして、表示部２１の画面の下欄の左右に延びる帯状の部分３１には、複数の表示ボタンとしてのアイコン３３（３３ａ〜３３ｆ）が複数表示されており、アイコン３３の下にはさらにスクロールボタン３５ａ、３５ｂが表示されている。スクロールボタン３５ａ、３５ｂは表示されていない他のアイコン３３（３３ｇ、３３ｈ等）をスクロール操作により画面上に表示させ、その選択を可能とするものである。アイコン３３は、ナビゲーションモードに対応した操作を行う操作ボタンであり、表示部２１の画面上のアイコン３３の上のタッチパネル２２に操作体（指、タッチペン等）でタッチすることで、ナビゲーションモードに切り替えることなく、ナビゲーションモードに対応する操作が行われることになる。なお、アイコン３３はＴＶ放送の視聴中常時表示しても良いが、操作体が画面の所定範囲内に接近したときにのみ表示するものとしても良い。この場合、車載機器１１の周囲に近接センサ（不図示）を設定し、操作体の近接を検出した近接センサからの検出信号に基づき、処理ユニット１２がアイコン３３を表示することができる（表示制御手段）。このようにすることで、アイコン３３の操作を要する時以外は、映像の画面表示を十分に行うことができる。
【００３２】
アイコン３３ａは、例えば買物施設の検索、経路変更設定及び経路誘導用のプログラムを起動するための表示ボタンであり、アイコン３３ａをタッチ操作すると、ナビゲーション機能により処理ユニット１２は走行中の周囲附近にあるコンビニ、スーパーマーケット等を地図情報等から検出し、一番近い買い物施設を経由地として設定し、ナビゲーションモードをバックグラウンド状態の下で経路変更する。なお、上記した以外に、アイコン３３ａについては、タッチ操作したときに買い物施設をメニュー表示し、メニュー表示から乗員の選択による施設に経路変更しても良い。表示メニューには、例えばコンビニ、スーパーマーケット、百貨店、専門店、道の駅等の表示欄を設け、選択された施設のうち最短にある選択施設に向けて経路変更するように設定することができる。また、自車両位置が生活圏内のときは乗員が日常立ち寄る施設を表示メニューに優先表示し、生活圏外のときは名産品の販売店、道の駅等を優先表示するようにしても良い。
【００３３】
アイコン３３ｂは、例えば食事のための飲食店を検索、誘導するためのプログラムを起動するボタン表示であり、操作体によりタッチ操作すると、ナビゲーション機能により処理ユニット１２は走行中の自車両の周囲附近にある飲食店を検索し、最短の飲食店又は表示した操作メニューから選択された飲食店を経由地として設定し、ナビゲーションモードをバックグラウンド状態の下で経路変更する。なお、この場合も自車両位置が生活圏内のときは乗員が日常立ち寄る飲食店を操作メニューに優先表示し、生活圏外のときは記憶部２０に記憶されているグルメ情報等に基づく飲食店等を優先表示するようにしても良い。
【００３４】
アイコン３３ｃは、走行中に「トイレ」への立ち寄りのためにタッチ操作されたときは、ナビゲーション機能により自車両の現在地から最も近いトイレを利用できる施設を検索し、誘導するプログラムを起動するボタン表示であり、処理ユニット１２はナビゲーションモードをバックグラウンド状態の下で検索された所定の施設を経由地として設定し、経路変更する。処理ユニット１２は、自車両の位置が高速道路上の場合、次のパーキングエリアへ誘導し、一般道の場合にはコンビニ、ガソリンスタンド又は道の駅など、予め設定してある、一般にトイレが利用できる施設を経由地として設定する。
【００３５】
上記したアイコン３３ａ、３３ｂ及び３３ｃは、手動運転から自動運転に切り替えたときに、買い物、食事、トイレ等の急に発生した欲求に応じるための、いわゆる「目的別アイコン」であり、当該アイコンをタッチ操作すると、ナビゲーション機能はバックグラウンド状態において、現在位置から最も近くに位置する、関連施設を経由地として経路変更を設定する。さらに、乗員等の使用者が自車両の走行周辺にある特定施設を検索する、いわゆる「周辺施設アイコン」を表示部２１の画面上に表示することができる。この周辺施設アイコンをタッチ操作することで、処理ユニット１２は、関連する施設を地図画面上に表示、又はメニュー表示することで所望の施設の選択を可能とし、選択後には所望の施設を経由地として経路変更を設定する。表示部２１の画面に表示させる「周辺施設アイコン」は、乗員等の使用者が所望する検索アイコンを選択表示することができ、例えばアイコン３３ｄは２４時間利用可能な貸駐車場の検索アイコンであり、操作体のタッチ操作することで自車両の周辺の２４時間利用可能な貸駐車場を検索、表示した後、選択された所定の駐車場を経由地として設定する。また、アイコン３３ｅはガソリンスタンドの検索アイコンであり、アイコン３３ｆはコンビニエンスストアの検索アイコンである。いずれも操作体のタッチ操作により走行中の自車両の周辺のガソリンスタンド、コンビニエンスストアを検索、表示し、選択された後、選択されたガソリンスタンド、コンビニエンスストアを経由地として設定することができる。
【００３６】
表示部２１の画面外のアイコン３３ｇ、３３ｈ（いずれも破線で示す）は、表示部２１の最下欄に設けたスクロールボタン３５ｂをタッチ操作することで画面上に表示することができる。画面上に表示することができるアイコン数には限度があり、表示することができないアイコンはスクロールボタン３５ａ、３５ｂを操作することで表示することができるようになっている。アイコン３３ｇはＡＶ視聴モードへの切り替えボタン、アイコン３３ｈは表示画面をナビゲーションモード表示への切り替えボタンを表している。なお、アイコンを含む操作ボタンについては、使用頻度の高いものを他のボタンより大きく表示することで誤操作を防止することができる。また、操作されたアイコン等の操作ボタンのうち操作後の所定時間は操作されない傾向のものは、所定時間の間は非表示とすることができる。このようにすることで、他のアイコン等の操作ボタンを表示することができるので利便性の向上を図ることができる。なお、表示部２１の表示画面の右上に設けた「ＯＦＦ」の表示ボタン３５は、現在表示中のＴＶ放送視聴モードを終了させてナビゲーションモードの画面（地図表示）とする操作ボタンである。
【００３７】
図２に示すように、処理ユニット１２は、図３のニュース番組を放映する表示部２１の画面下に表示するアイコン３３（３３ａ〜３３ｈ）が選択されたか否かを判定する（Ｓ１４）。処理ユニット１２は、表示したアイコン３３（３３ａ〜３３ｈ）の選択があったときは（Ｓ１４のＹＥＳ）、選択されたアイコン３３に関連する操作を実行する。例えば、上記したようにアイコン３３ｃが選択されたときは、ナビゲーション機能により現在の自車両の位置に最も近いトイレ施設を経由地として経路変更する。さらに処理ユニット１２は他のアイコン３３が選択されたか否かを判定し（Ｓ１６）、アイコン３３の選択があったときは（Ｓ１６のＹＥＳ）、上記同様に選択されたアイコンに関連する操作を実行する（Ｓ１６）。
【００３８】
処理ユニット１２は、ＴＶ放送視聴モード（ナビゲーションモードはバックグラウンド状態）からナビゲーションモードへの切り替えを行うか否かの判定を行う（Ｓ１７）。例えば、図３に示す「ＯＦＦ」表示の操作ボタン３５のタッチ操作がされると、処理ユニット１２はナビゲーションモードへの切り替えを選択されたと判定し（Ｓ１７のＹＥＳ）、ナビゲーションモードをバックグラウンド状態からフォアグラウンド状態にし、表示部２１の画面をＶ放送画面からナビゲーション機能による地図表示画面とするナビゲーションモードに切り替える（Ｓ１８）。
【００３９】
次に、所定時間を超えてアイコン３３のタッチ操作が行われないとき、処理ユニット１２は車載機器１１の使用を終了するか否かの判定を行う（Ｓ１９）。処理ユニット１２は、終了か否かを問うタッチ操作欄（不図示）を表示し、終了が選択されたときは（Ｓ１９のＹＥＳ）、車載機器１１の動作を終了する。一方、続行を選択したときには、処理ユニット１２は他のアイコン３３の選択を求める（Ｓ１５）。なお、ナビゲーションモード（フォアグラウンド状態）に切り替えた後、所定時間を超えての画面操作が行われないときも上記同様に車載機器１１の使用を終了するか否かの判定を行う（Ｓ２０）。処理ユニット１２は、終了か否かを問うタッチ操作欄（不図示）を表示し、終了が選択されたときは車載機器１１の動作を終了し、続行を希望したときは引き続きナビゲーションモードをフォアグラウンド状態にする。
【００４０】
上述したように本実施形態に係る電子機器としての車載機器１１によれば、自動運転操作のときにナビゲーションモードをバックグラウンド状態として、他の動作モードであるＴＶ放送視聴モード、ＡＶ視聴モードを作動させて表示部２１の画面に映像等を表示する際に、ナビゲーションモードに対応した操作を行う操作ボタン（アイコン等）を併せて表示することで、上記映像等の視聴中に操作ボタンをタッチ操作することで、直接ナビゲーションモードに対応した操作を行うことが可能となる。このため、従来のようにナビゲーションモードへ切り替えてからのナビゲーションモードに対応した操作を行う場合と異なり、煩雑な操作を行うことなく所望のナビゲーションモードに対応した操作を迅速に実行することができる。例えば、走行中にＴＶ放送を視聴しているときでも、ＴＶ放送の映像画面の下欄に表示されたナビゲーションモードに対応した検索モードをタッチ操作することで、ナビゲーションモードへの切り替え操作を要することなく、選択した所望の施設へと経路変更をすることができる。操作ボタンとしては、検索用のアイコンに限らず、交通情報の提供を求める等の情報の問い合わせ等のアイコンも表示することができる。さらにアイコンに限らず、通常の文字表示の操作ボタンを表示しても良い。
【００４１】
なお、本実施形態では、自動運転操作の場合においてＴＶ放送等の映像を視聴中にナビゲーションモードに対応した操作を行う操作ボタン（アイコン等）を併せて表示するものであるが、自動運転の場合に限定するものではない。例えば、手動運転のときに、乗員の操作により車載機器の表示画面をナビ画面からＴＶ放送視聴画面に切り替えたときに、ナビゲーションモードに対応した操作を行う操作ボタン（アイコン等）を併せて表示ことで、当該操作ボタンへのタッチ操作により直接ナビゲーションモードに対応した操作（施設検索等）を迅速に実行することができる。
【産業上の利用可能性】
【００４２】
以上、説明したように、本発明に係る電子機器は、映像再生ユニットにより再生された映像を表示操作部に表示する時に、ナビゲーション情報に基づいて動作するナビゲーション機能に対応した操作を行う操作ボタンを表示操作部に表示させるので、ナビゲーションモードへの切り替え操作を行うことなく、操作ボタンをタッチ操作することで容易にナビゲーションモードに対応した操作を行うことができるという効果を奏し、ナビゲーション情報に基づく画像又は映像再生ユニットにより再生された映像を表示すると共に、所定領域への操作体によるタッチ操作による入力を受付ける表示操作部を有する電子機器、例えば車載機器として有用である。
【符号の説明】
【００４３】
１１    車載機器（電子機器）
１２    処理ユニット
１５    ＡＶユニット
１６    ＴＶ放送受信機
１７    ナビゲーションユニット
１８    スピーカ
１９    出力回路
２０    記憶部
２１    表示部
２２    タッチパネル
２３    操作部
【図１】
2016109434.tif 000003
【図２】
2016109434.tif 000004
【図３】
2016109434.tif 000005
【図４Ａ】
2016109434.tif 000006
【図４Ｂ】
2016109434.tif 000007